(57)【要約】  本開示の実施例は、レンズマウント、レンズモジュール及び電子機器を提供し、光学技術分野に係る。レンズを載置するための該レンズマウントは、感光構造と、該レンズから遠い側である該感光構造の第１側に設けられて該感光構造に接続された駆動構造とを含む。ここで、該駆動構造は、該感光構造が第１変位で移動する場合に、該感光構造が第２変位で移動するように駆動することに用いられる。該第１変位の方向は、該レンズの光軸がある方向に直交する。該第２変位の方向は、該第１変位の方向とは同一平面に位置し、且つ該第２変位の方向は、該第１変位の方向とは逆である。該レンズマウントは、レンズモジュールに応用可能である。【選択図】図２
2021516798.tif 000002
【特許請求の範囲】
【請求項１】
感光構造と、レンズから遠い側である前記感光構造の第１側に設けられて前記感光構造に接続された駆動構造とを含み、レンズを載置するためのレンズマウントにおいて、
前記駆動構造は、前記感光構造が第１変位で移動する場合に、前記感光構造が第２変位で移動するように駆動することに用いられ、
前記第１変位の方向は、前記レンズの光軸がある方向に直交し、
前記第２変位の方向は、前記第１変位の方向とは同一平面に位置し、且つ前記第２変位の方向は、前記第１変位の方向とは逆である、レンズマウント。
【請求項２】
前記駆動機構は、更に、前記感光構造が第１方向に沿って運動するように駆動することに用いられ、
前記第１方向は、前記レンズの光軸がある方向とは同じであり、
前記第１変位の大きさは、前記第２変位の大きさとは同じである、請求項１に記載のレンズマウント。
【請求項３】
前記駆動構造は、第１配線基板と、Ｍ（１より大きい整数）個の接続部材と、Ｎ（正の整数）個の変形部材とを含み、
各々の接続部材の第１端部は、前記第１配線基板に接続され、前記各々の接続部材の第２端部は、前記感光構造に接続され、
前記Ｎ個の変形部材は、すべて前記第１配線基板と前記感光構造との間に位置し、且つ各々の変形部材の第１端部は、すべて前記第１配線基板に接続され、前記各々の変形部材の第２端部は、すべて前記感光構造に接続され、
ここで、前記感光構造が前記第１変位で移動する場合に、前記Ｎ個の変形部材のうちの少なくとも１つの変形部材は、加熱後に前記感光構造を前記第２変位で移動させる、請求項１又は２に記載のレンズマウント。
【請求項４】
前記第１配線基板と前記感光構造との間のギャップは、所定値以上である、請求項３に記載のレンズマウント。
【請求項５】
前記変形部材は、記憶合金部材である、請求項３に記載のレンズマウント。
【請求項６】
前記感光構造は、第２配線基板及び前記第２配線基板に設けられた感光部材を含み、
前記感光構造の第１側は、前記第２配線基板における前記感光部材とは逆の側であり、
ここで、前記各々の接続部材の第２端部及び前記各々の変形部材の第２端部は、すべて前記第２配線基板に接続される、請求項３に記載のレンズマウント。
【請求項７】
前記感光構造の第２側に設けられた光学フィルタを更に含み、
前記感光構造の第２側は、前記第２配線基板における前記感光部材とは同一の側である、請求項６に記載のレンズマウント。
【請求項８】
前記レンズを支持し、前記光学フィルタを固定するための支持構造を更に含む、請求項７に記載のレンズマウント。
【請求項９】
レンズと、前記レンズを載置するための請求項１〜８のいずれか一項に記載のレンズマウントとを含む、レンズモジュール。
【請求項１０】
前記レンズマウントは、支持構造を含み、
前記レンズモジュールの第２方向上の半径は、前記レンズの半径と前記支持構造の前記第２方向上の厚さとの和であり、
前記第２方向は、前記レンズの光軸がある方向に直交する、請求項９に記載のレンズモジュール。
【請求項１１】
請求項９又は１０に記載のレンズモジュールを含む、電子機器。
【発明の詳細な説明】
【技術分野】
【０００１】
本願は、２０１８年０３月１６日に中国特許庁に提出された中国特許出願２０１８１０２１９９４０．８（発明の名称：レンズマウント、レンズモジュール及び電子機器）の優先権を主張し、該全ての内容が援用によりここに取り込まれる。
【０００２】
本開示の実施例は、光学技術分野に係り、特にレンズマウント、レンズモジュール及び電子機器に係る。
【背景技術】
【０００３】
光学技術の発展に伴い、多くの電子機器が撮像機能を備えている。ユーザがカメラや携帯電話などの電子機器を用いて画像の撮影をする場合、ユーザの手のぶれにより該電子機器がぶれてしまい、電子機器により撮影された画像がぼやけてしまう。
【０００４】
従来、電子機器にボイスコイルモータを設け、該ボイスコイルモータによって電子機器のレンズを運動させることで、電子機器のぶれによる撮影画像の明瞭度への影響を低減する（この機能を光学防振と呼ぶ）。例えば、図１に示すように、レンズａがボイスコイルモータｂに固定されており、レンズａに外力が加わった場合に、レンズａが該レンズａの光軸がある方向と直交する方向（例えば、図１に示すＡ１方向やＢ１方向）に移動する。この場合、電子機器は、ボイスコイルモータｂにより該レンズａを上記方向と逆方向（例えば、図１に示すＢ１方向やＡ１方向）に移動させるように制御することができる。これにより、光学防振を実現することができる。
【０００５】
しかしながら、光学防振を実現するためにボイスコイルモータを設けてレンズを運動させる方式では、ボイスコイルモータによってレンズを運動させる過程においてレンズが微小に振動する可能性があり、レンズが精密部材である場合が多いため、レンズの信頼性が低下するおそれがある。
【発明の概要】
【０００６】
第１方面において、本開示の実施例は、レンズマウントを提供する。
感光構造と、レンズから遠い側である前記感光構造の第１側に設けられて前記感光構造に接続された駆動構造とを含み、レンズを載置するためのレンズマウントにおいて、
前記駆動構造は、前記感光構造が第１変位で移動する場合に、前記感光構造が第２変位で移動するように駆動することに用いられ、
前記第１変位の方向は、前記レンズの光軸がある方向に直交し、
前記第２変位の方向は、前記第１変位の方向とは同一平面に位置し、且つ前記第２変位の方向は、前記第１変位の方向とは逆である。
【０００７】
第２方面において、本開示の実施例は、レンズ、及び該レンズを載置するための上記第１方面のレンズマウントを含むレンズモジュールを提供する。
【０００８】
第３方面において、本開示の実施例は、上記第２方面のレンズモジュールを含む電子機器を提供する。
【図面の簡単な説明】
【０００９】
【図１】図１は、従来技術によるレンズモジュールの断面図である。
【図２】図２は、本開示の実施例によるレンズマウントの断面図その１である。
【図３】図３は、本開示の実施例によるレンズマウントの断面図その２である。
【図４】図４は、本開示の実施例によるレンズマウントの断面図その３である。
【図５】図５は、本開示の実施例によるレンズマウントの断面図その４である。
【図６】図６は、本開示の実施例によるレンズマウントの断面図その５である。
【図７】図７は、本開示の実施例によるレンズモジュールの断面図である。
【発明を実施するための形態】
【００１０】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００１１】
本明細書において、「及び／又は」とは、関連対象の関連関係を表し、３種類の関係が存在しうることを示す。例えば、「Ａ及び／又はＢ」は、Ａのみ、ＡとＢの両方、Ｂのみの３種類のケースを示す。本明細書において、「／」は、関連対象が「又は」の関係であることを示す。例えばＡ／Ｂは、Ａ又はＢを示す。
【００１２】
本開示の明細書及び特許請求の範囲における「第１」及び「第２」などの用語は、異なる対象を区別するために使用されるものであり、対象の特定の順序を説明するために使用されるものではない。例えば、第１変位と第２変位などは、異なる変位を区別するためのものであり、変位の特定の順序を説明するためのものではない。
【００１３】
本開示の実施例において、「例示的」又は「例えば」などの用語は、例、例証、又は説明を示すために使用される。「例示的」又は「例えば」として本開示の実施例に記載される任意の実施例又は設計は、他の実施例又は設計よりも好ましい又は有利であると解釈されるべきではない。むしろ、「例示的」又は「例えば」などの用語の使用は、関連概念を具体的に提示することを目的とする。
【００１４】
本開示の実施例の記載において、例えば、複数のレンズとは、２以上のレンズを意味し、複数のフォトダイオードとは、２以上のフォトダイオードを意味するなど、「複数」とは、特に断りのない限り、２以上を意味する。
【００１５】
以下、本開示の実施例に係る用語／名詞の一部について説明する。
ボイスコイルモータ：永久磁石からの磁界とコイル導体に通電することにより発生する磁界との磁極間相互作用により、規則的な運動を発生させる装置であり、すなわち電気エネルギーを機械エネルギーに変換可能な動力装置である。
レンズ：複数のレンズからなる光学装置をいう。
レンズの光軸：レンズ中の複数のレンズの中心を繋いだ線をいう。
光学防振：画像撮像機能を有する電子機器に特殊な構造を設けることにより、ユーザが電子機器を用いて画像の撮像を行う際に、ユーザの手ぶれによる撮像画像の明瞭度への影響を低減する機能である。
形状記憶合金ＳＭＡ（ｓｈａｐｅ  ｍｅｍｏｒｙ  ａｌｌｏｙｓ）：加熱昇温後、比較的低温で発生した変形を解消し、変形前の元の形状に復元する合金材料であり、すなわち「記憶」効果を有する合金をいう。
リジッドフレキシブル配線基板：フレキシブル配線基板とリジッド配線基板とを圧着等の工程を経て、関連プロセスで組み合わせて、フレキシブル配線基板の特性とリジッド配線基板の特性とを有する配線基板をいう。
光学フィルタ：所望の放射波長帯域を選択するための光学素子をいう。
【００１６】
本開示の実施例は、レンズマウント、レンズモジュール及び電子機器を提供する。該レンズマウントは、感光構造と、レンズから遠い側である該感光構造の第１側に設けられて該感光構造に接続された駆動構造とを含む。ここで、該駆動構造は、該感光構造が第１変位（該第１変位の方向は、レンズの光軸がある方向に直交する）で移動する場合に、該感光構造が第２変位（該第２変位の方向は、該第１変位の方向とは同一平面に位置し、且つ該第２変位の方向は、該第１変位の方向とは逆である）で移動するように駆動することに用いられる。この構成により、レンズマウント内の感光構造が外力の作用下に第１変位で移動すると、レンズマウント内の駆動構造により、該感光構造を該第１変位の方向とは反対の方向に移動させるので、本開示の実施例のレンズマウントは、光学防振を実現することができる。一方、本発明の実施例は、駆動構造によって感光構造を運動させて光学防振を実現するため、ボイスコイルモータによってレンズを運動させて光学防振を実現する従来技術に比べて、レンズに影響を与えることがない。このように、本開示の実施例によれば、光学防振を実現する上でレンズの信頼性を確保することができる。
【００１７】
図２に示すように、本開示の実施例は、レンズマウント０１を提供する。該レンズマウント０１は、レンズ００を載置するために使用される。該レンズマウント０１は、感光構造０２と、該感光構造０２の第１側に設けられ、かつ該感光構造０２に接続された駆動構造０３とを含む。該感光構造０２の第１側は、該レンズ００から遠い側である。
【００１８】
ここで、上記駆動構造０３は、上記感光構造０２が第１変位で移動する場合に、該感光構造０２が第２変位で移動するように駆動することに用いられる。該第１変位の方向は、該レンズ００の光軸がある方向に直交し、該第２変位の方向は、該第１変位の方向とは同一平面に位置し、且つ該第２変位の方向は、該第１変位の方向とは逆である。
【００１９】
例えば、図２に示すように、レンズ００の光軸がある方向をＣとすると、第１変位の方向は、Ａ２であり、第２変位の方向は、Ｂ２である。第１変位は、感光構造０２がＡ２方向に一定距離だけ移動することであり、第２変位は、感光構造０２がＢ２方向に一定距離だけ移動することであることが理解される。
【００２０】
具体的には、本開示の実施例において、レンズマウントが外力を受ける場合（例えば、ユーザが、レンズマウントに応用される電子機器の画面上の撮影ウィジェットをクリックして写真又は動画を撮影し、撮影中に、ユーザの手（すなわち、電子機器を持つユーザの手）のぶれによって該電子機器がぶれる可能性があるため、該電子機器のレンズマウントが外力を受けることになる）、該レンズマウントの感光構造が、レンズの光軸がある方向に垂直な方向に一定の距離だけ移動する（すなわち、該感光構造が第１変位で移動する）可能性がある。該感光構造が該第１変位で移動する場合、駆動構造は、該感光構造が該第１変位の方向と同一平面上にあり、且つ該第１変位の方向とは逆方向に移動するように駆動する（すなわち、該感光構造が第２変位で移動するように駆動する）。それによって、撮影する写真又は動画の明瞭度を向上させることができ、すなわち、光学防振を実現することができる。
【００２１】
選択可能に、本開示の実施例において、上記第１変位の大きさと上記第２変位の大きさは、同じであっても異なっていてもよく、具体的には、実際の使用ニーズに応じて決められ、本開示の実施例では限定されない。光学防振をより良好に実現するために、第１変位の大きさと第２変位の大きさは、同じである。また、第１変位の大きさと第２変位の大きさには実用上多少のずれが生じうるため、第１変位の大きさと第２変位の大きさは、異なる可能性もある。
【００２２】
本開示の実施例によるレンズマウントにおいて、レンズマウント内の感光構造が外力の作用下に第１変位で移動すると、レンズマウント内の駆動構造により、該感光構造を該第１変位の方向とは反対の方向に移動させる。よって、本開示の実施例のレンズマウントは、光学防振を実現することができる。一方、本発明の実施例は、駆動構造によって感光構造を運動させて光学防振を実現するため、ボイスコイルモータによってレンズを運動させて光学防振を実現する従来技術に比べて、レンズに影響を与えることがない。このように、本開示の実施例によれば、光学防振を実現する上でレンズの信頼性を確保することができる。
【００２３】
選択可能に、図２に示すように、本開示の実施例において、上記駆動構造０３は、更に、感光構造０２が第１方向に沿って運動するように駆動することに用いられる。該第１方向は、レンズの光軸がある方向とは同じである。具体的には、駆動構造は、制御信号の制御下で、感光構造が第１方向に沿って運動するように駆動する。
【００２４】
例えば、図２に示すように、第１方向は、Ｃである。
【００２５】
具体的には、本発明の実施例において、写真又は動画の撮影中に、駆動構造は、プロセッサから送信される制御信号（例えば、該制御信号は、プロセッサから送信されるレンズの焦点距離（即ち、被写体距離と像距離との間の距離）を制御して調整するための信号である）を受信し、該制御信号の制御下で、感光構造がレンズの光軸がある方向（即ち、上記第１方向）に沿って運動するように駆動する。これにより、レンズの光学的焦点調節を実現することができる。
【００２６】
選択可能に、本開示の実施例において、上記駆動構造は、感光構造がレンズの光軸がある方向（すなわち、上記第１方向）に沿って、該レンズから離れる方向に運動するように駆動してもよく、感光構造がレンズの光軸がある方向（すなわち、上記第１方向）に沿って、該レンズに近づく方向に運動するように駆動してもよい。感光構造がレンズの光軸がある方向に沿って該レンズから離れる方向に運動するように駆動構造によって駆動される場合、焦点距離を広げることが可能になる。感光構造がレンズの光軸がある方向に沿って該レンズに近づく方向に運動するように駆動構造によって駆動される場合、焦点距離を小さくすることが可能である。具体的に感光構造が駆動されて運動する方向は、実際の使用ニーズに応じて決められ、本開示の実施例では限定されない。
【００２７】
本開示の実施例のレンズマウントにおいて、駆動構造は、感光構造がレンズの光軸がある方向（すなわち上記第１方向）に沿って運動するように駆動する。このように、被写体距離及び像距離の位置を変化させることによって被写体の像をより鮮明にし、光学的な焦点調節を可能にする。一方、本発明の実施例は、駆動構造によって感光構造を運動させて光学的な焦点調節を実現するため、ボイスコイルモータによってレンズを運動させて光学的な焦点調節を実現する従来技術に比べて、レンズに影響を与えることがない。このように、本開示の実施例によれば、光学的な焦点調節を実現する上でレンズの信頼性を確保することができる。
【００２８】
選択可能に、図２、図３を合わせて参照し、本開示の実施例によるレンズマウント０１において、図２に示す駆動構造０３は、第１配線基板０４と、Ｍ（１より大きい整数）個の接続部材０５と、Ｎ（正の整数）個の変形部材０６とを含む。各々の接続部材０５の第１端部は、該第１配線基板０４に接続され、各々の接続部材０５の第２端部は、感光構造０２に接続される。該Ｎ個の変形部材０６は、すべて該第１配線基板０４と該感光構造０２との間に位置し、且つ各々の変形部材０６の第１端部は、すべて該第１配線基板０４に接続され、各々の変形部材０６の第２端部は、すべて該感光構造０２に接続される。
【００２９】
ここで、上記感光構造０２が第１変位で移動する場合、上記Ｎ個の変形部材０６のうちの少なくとも１つの変形部材０６は、加熱後に該感光構造０２を第２変位で移動させる。
【００３０】
例えば、外力がレンズマウントに加わった場合、該レンズマウントの感光構造は、レンズの光軸がある方向に垂直な方向に一定の距離だけ移動する可能性がある（すなわち、該感光構造は、第１変位で移動する）。この場合、プロセッサは、該第１変位のデータを取得し（例えば、該プロセッサは、該感光構造に設けられた動きセンサを介して該第１変位のデータを取得する）、該第１変位のデータに基づいて、補償すべき変位量を算出し、Ｎ個の変形部材から、加熱後に該感光構造を第２変位で移動させる少なくとも１つの変形部材を決定する。それから、該プロセッサは、該少なくとも１つの変形部材に通電させるように制御する。該少なくとも１つの変形部材が通電して発熱すると、該少なくとも１つの変形部材は、変形する（すなわち形状の変化が生じる）。よって、該少なくとも１つの変形部材は、該感光構造を第２変位で移動させる。
【００３１】
なお、本開示の実施例において示される各図面は、構造の断面図（例えば、レンズマウントの断面図又はレンズモジュールの断面図など）である。各断面図において、２つの接続部材（すなわち、Ｍ＝２）、１つの変形部材（すなわち、Ｎ＝１）を例として示している。実際の実現において、接続部材及び変形部材の数は、具体的には、実際の使用ニーズに応じて決められ、本開示の実施例では限定されない。
【００３２】
もちろん、本開示の実施例において示される各断面図での各部材の数、形状などは、例示的なものであり、本開示の実施例に対し何ら限定しないことが理解される。実際の実現において、各断面図における各部材の数、形状などは、実際の使用ニーズに応じて決められ、本開示の実施例では限定されない。
【００３３】
選択可能に、本開示の実施例において、上記第１配線基板は、フレキシブル配線基板であってもよいし、リジッド配線基板であってもよいし、更に、フレキシブルリジッド基板であってもよい。具体的には、実際の使用ニーズに応じて決められ、本開示の実施例では限定されない。
【００３４】
選択可能に、本開示の実施例において、上記Ｍ個の接続部材の材料は、金属又は金属合金などの材料であり、具体的には実際の使用ニーズに応じて決められ、本開示の実施例では限定されない。例えば、上記Ｍ個の接続部材の材料は、金属チタンである。
【００３５】
選択可能に、本開示の実施例において、上記Ｍ個の接続部材の材料は、完全に同一であっても、完全に異なっていても、部分的に同一であってもよく、具体的には、実際の使用ニーズに応じて決められ、本開示の実施例では限定されない。
【００３６】
選択可能に、本開示の実施例において、上記Ｎ個の変形部材のうちの少なくとも１つの変形部材は、加熱された後、感光構造がレンズの光軸がある方向（すなわち、上記第１方向）に沿って運動するように駆動する。
【００３７】
本開示の実施例によるレンズマウントにおいて、まず、レンズマウント内の感光構造が外力によって第１変位で移動するとき、レンズマウント内のＮ個の変形部材のうちの少なくとも１つの変形部材が加熱された後に該感光構造を該第１変位の方向とは反対の方向に移動させることができる。よって、本開示の実施例のレンズマウントは、光学防振を実現することができる。第２に、本発明の実施例は、駆動構造によって感光構造を運動させて光学防振を実現するため、ボイスコイルモータによってレンズを運動させて光学防振を実現する従来技術に比べて、レンズに影響を与えることがない。また、ボイスコイルモータによってレンズを運動させる従来技術に比べ、本発明の実施例は、少なくとも１つの変形部材が加熱されて変形して該感光構造を運動させる。少なくとも１つの変形部材が加熱されて変形して該感光構造を運動させるための電力消費は、ボイスコイルモータによってレンズを運動させるための電力消費より遥かに小さい。従って、本開示の実施例は、電力消費を低減することができる。このように、本開示の実施例によれば、光学防振を実現する上でレンズの信頼性を確保しつつ、消費電力を低減することができる。
【００３８】
選択可能に、図３に示すように、本開示の実施例において、上記第１配線基板０４と上記感光構造０２とのギャップは、所定値以上である。
【００３９】
例えば、本開示の実施例において、上記第１配線基板と上記感光構造との間のギャップは、図３に示すｓである。
【００４０】
例えば、本開示の実施例において、上記の所定値は、［０．０５ｍｍ（ミリメートル），０．０８  ｍｍ］のいずれかである。もちろん、この所定値は、実際の使用ニーズを満たす任意の他の数値であってもよいが、本開示の実施例では限定されない。
【００４１】
本開示の実施例によるレンズマウントは、第１配線基板と感光構造との間にギャップを設けることによって、該感光構造が第１変位の方向、第２変位の方向又は第１方向に沿って運動するときに該第１配線基板に接触することがない。従って、レンズマウントの正常な動作を保証することができる。
【００４２】
選択可能に、本開示の実施例において、上記変形部材は、記憶合金部材である。例えば、上記Ｎ個の変形部材の各々の変形部材は、記憶合金部材である。
【００４３】
選択可能に、本開示の実施例において、上記記憶合金部材の材料は、形状記憶合金である。もちろん、該記憶合金部材の材料は、実際の使用ニーズを満たす任意の他の材料であってもよいが、本開示の実施例では限定されない。
【００４４】
選択可能に、上記記憶合金部材の材料が形状記憶合金である場合、該形状記憶合金は、金カドミウム合金、銀カドミウム合金、銅亜鉛合金、銅亜鉛アルミニウム合金、銅亜鉛スズ合金、銅スズ合金、銅亜鉛ガリウム合金、インジウムチタン合金、金銅亜鉛合金、鉄白金合金、チタンニオブ合金、ウラニオブ合金及び鉄マンガンシリコン合金などの形状記憶合金のいずれか１種、２種以上の組み合わせである。
【００４５】
選択可能に、本開示の実施例において、上記Ｎ個の変形部材の材料は、上記形状記憶合金のうちのいずれか１種、２種以上の組み合わせであり、上記Ｎ個の変形部材の材料は、完全に同一であっても、完全に異なっていても、部分的に同一であってもよいが、具体的には、実際の使用ニーズに応じて決められ、本開示の実施例では限定されない。
【００４６】
例えば、本開示の実施例において、上記Ｎ個の変形部材がＮ個の形状記憶合金ワイヤであると仮定し、各形状記憶合金ワイヤは、第１配線基板と感光構造との間に位置し、且つ各形状記憶合金ワイヤの一端は、すべて該第１配線基板に接続され、各形状記憶合金ワイヤの他端は、すべて該感光構造に接続される。感光構造が第１変位で移動する場合、各形状記憶合金ワイヤは、加熱された後に、該感光構造を第２変位（第２変位の方向は、第１変位の方向と同一平面上にあり、且つ第１変位の方向は、第２変位の方向と反対であり、第１変位の大きさは、第２変位の大きさと同じである）で移動させる。
【００４７】
本開示の実施例のレンズマウントは、感光構造が外力によって第１変位で移動する場合、方向が第１変位の方向と同一平面上にあり、且つ方向が第１変位の方向と逆である第２変位を記憶合金部材によって感光構造に移動させて光学防振を実現することができる。該記憶合金部材のコストがボイスコイルモータのコストよりも低いので、本開示の実施例は、光学防振を実現する上で製造コストを低減することができる。
【００４８】
選択可能に、図３、図４を合わせて参照し、本開示の実施例によるレンズマウント０１において、図３に示される感光構造０２は、第２配線基板０７と、該第２配線基板０７に設けられた感光部材０８とを含む。ここで、該感光構造０２の第１側は、該第２配線基板０７における該感光部材０８とは逆の側である。各々の接続部材０５の第２端部及び各々の変形部材０６の第２端部は、すべて上記第２配線基板０７に接続される。
【００４９】
選択可能に、本開示の実施例において、上記第２配線基板は、フレキシブル配線基板であってもよいし、リジッド配線基板であってもよいし、更に、フレキシブルリジッド基板であってもよい。具体的には、実際の使用ニーズに応じて決められ、本開示の実施例では限定されない。
【００５０】
選択可能に、本開示の実施例において、上記感光部材は、接着剤を介して第２配線基板に粘着される。もちろん、該感光部材は、ほかの可能な方式で第２配線基板に設けられてもよいが、本開示の実施例では限定されない。
【００５１】
選択可能に、本開示の実施例において、上記感光部材は、感光チップである。該感光チップは、ＣＣＤ（ｃｈａｒｇｅ−ｃｏｕｐｌｅｄ  ｄｅｖｉｃｅ）チップでってもよく、ＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）チップであってもよく、感光に用いられる他の部材であってもよい。実際の実現において、具体的に実際の使用ニーズに応じて決められるが、本開示の実施例では限定されない。
【００５２】
例えば、上記感光部材が表面に複数のフォトダイオードが設けられたＣＣＤチップであるとする。外部環境の光がレンズを透過して該ＣＣＤチップの表面に照射されると、該ＣＣＤチップの表面のフォトダイオードが該光を感光してアナログ電気信号に変換し、更に該アナログ電気信号をサンプリングアンプ回路及びアナログデジタル変換回路で処理してデジタル画像信号に変換する。もちろん、該デジタル画像信号は、圧縮されて電子機器内部の記憶装置（例えば、フラッシュメモリ又は内蔵ハードディスクカード等）に保存されてもよい。具体的な記憶方式は、従来技術における関連記憶方式を参照してもよく、本開示の実施例では繰り返して記載しない。
【００５３】
本開示の実施例によるレンズマウントは、レンズにより撮像された光学像を、第２配線基板と、該第２配線基板に設けられた感光部材とを介して、画像信号に変換する。
【００５４】
選択可能に、図４、図５を合わせて参照し、本開示の実施例によるレンズマウント０１は、第２配線基板０７における感光部材０８と同一側である感光構造の第２側に設けられた光学フィルタ０９を更に含む。
【００５５】
なお、本開示の実施例において、上記光学フィルタは、所定の波長の光を透過させるために使用される。すなわち、該光学フィルタは、所定の波長以外の波長の光をフィルタリングするために使用される。
【００５６】
例えば、本開示の実施例において、上記光学フィルタは、可視光フィルタ、紫外線フィルタ又は赤外光フィルタなどである。例えば、光学フィルタが可視光フィルタである場合、レンズの外部環境の光がレンズの各レンズを通過して該可視光フィルタに到達すると、該可視光フィルタは、可視光の波長以外の波長の光を吸収する。これにより、可視光は、該光学フィルタを透過して、感光構造の第２配線基板に到達する。光学フィルタが紫外線フィルタである場合、レンズの外部環境の光がレンズの各レンズを通過して該紫外線フィルタに到達すると、該紫外線フィルタは、紫外線波長以外の波長の光を吸収する。これにより、紫外線は、該光学フィルタを透過して、感光構造の第２配線基板に到達する。光学フィルタが赤外光フィルタである場合、レンズの外部環境の光がレンズの各レンズを通過して該赤外光フィルタに到達すると、該赤外光フィルタは、赤外線波長以外の波長の光を吸収する。これにより、赤外線は、該光学フィルタを透過して、感光構造の第２配線基板に到達する。
【００５７】
なお、本開示の実施例における図３、図４及び図５は、第１配線基板と感光構造との間のギャップをより明確に示すために、比較的大きなギャップを例示している。実際の実現において、具体的には実際の使用ニーズに応じて決められ、本開示の実施例では限定されない。
【００５８】
本開示の実施例によるレンズマウントは、感光構造の第２側に設けられた光学フィルタを通して、レンズの外部環境の光がレンズの各レンズを通過して該光学フィルタに到達した後、該光学フィルタが、所定の波長の光が該光学フィルタを透過するようにし、該所定の波長の光以外の波長の光を吸収し、感光構造が、光学画像の所定の波長の光を画像信号に変換することができる。
【００５９】
選択可能に、図５、図６を合わせて参照し、本開示の実施例によるレンズマウントは、レンズ００を支持し、光学フィルタ０９を固定するための支持構造１０を更に含む。
【００６０】
選択可能に、本開示の実施例において、上記支持構造は、図６に示される構造１０（例えば、該構造１０は、１つのホルダである）によって実現されてもよく、２つの部分構造の組み合わせによって実現されてもよく（例えば、１つの部分構造は、レンズを支持するために使用され、別の部分構造は、光学フィルタを固定するために使用され、２つの部分構造が一体に粘着されて１つの支持構造として組み合わされる）、具体的には、実際の使用ニーズに応じて決められ、本開示の実施例では限定されない。
【００６１】
なお、本開示の実施例に係る各図において、第１配線基板と感光構造との間のギャップの大きさは、例示的なものである。実際の実現において、第１配線基板と感光構造との間のギャップの寸法は、具体的には実際の使用ニーズに応じて決められ、本開示の実施例では限定されない。
【００６２】
本開示の実施例によるレンズマウントは、該レンズマウントに設けられた支持構造によってレンズを支持し、光学フィルタを固定することができるとともに、該支持構造が上記実施例における第１配線基板、第２配線基板、Ｍ個の接続部材、Ｎ個の変形部材及び感光部材などを封止及び保護することもできる。
【００６３】
本開示の実施例において、上記図２〜図６のいずれかに示されたレンズマウントにおいて、レンズマウントは、レンズ００を載置するために使用され、すなわち、レンズ００がレンズマウントの一部に属しないので、図２〜図６のいずれかに示されたレンズマウントにおけるレンズ００は、破線で示されていることが理解される。
【００６４】
図７に示すように、本開示の実施例は、レンズモジュール１１を提供する。該レンズモジュール１１は、レンズ００と、該レンズ００を載置するためのレンズマウントとを含む。該レンズマウントは、第１配線基板０４、接続部材０５、変形部材０６、第２配線基板０７、感光部材０８、光学フィルタ０９及び支持構造１０を有する。レンズマウントの具体的な説明は、上記実施例における関連記載を参照し、ここでは繰り返して記載しない。
【００６５】
なお、図７は、上記実施例で記載した図６に示すレンズマウントを例に挙げて例示的に説明したものであり、実際の実現において、本開示の実施例によるレンズモジュールは、上記図２乃至図５のいずれかに示すレンズマウントと共に実現されてもよい。レンズマウントの記載について、具体的には、上記実施例における図２乃至図６のいずれかに示すレンズマウントに関する記載を参照してもよく、ここでは繰り返して記載しない。
【００６６】
選択可能に、本開示の実施例において、上記レンズ及び上記レンズマウントには、それぞれ組み合わせて使用されるねじが設けられている。該ねじは、該レンズを該レンズマウントに固定するために使用される。
【００６７】
本開示の実施例は、レンズと、該レンズを載置するためのレンズマウントとを含むレンズモジュールを提供する。該レンズマウント内の感光構造が外力の作用下に第１変位で移動すると、該レンズマウント内の駆動構造により、該感光構造を該第１変位の方向とは反対の方向に移動させるので、本開示の実施例のレンズマウントは、光学防振を実現することができる。一方、本発明の実施例は、駆動構造によって感光構造を運動させて光学防振を実現するため、ボイスコイルモータによってレンズを運動させて光学防振を実現する従来技術に比べて、レンズに影響を与えることがない。このように、本開示の実施例によれば、光学防振を実現する上でレンズの信頼性を確保することができる。
【００６８】
選択可能に、図７に示すように、本開示の実施例によるレンズマウントは、支持構造１０を含む。レンズモジュールの第２方向（例えば、図７に示されるＡ３方向）上の半径は、レンズ００の半径と該支持構造１０の該第２方向上の厚さとの和であり、該第２方向は、該レンズの光軸がある方向に直交する。
【００６９】
なお、本開示の実施例において、図７に示される第２方向Ａ３は、図２に示される第１変位の方向Ａ２と同じであってもよく、該第１変位の方向Ａ２と異なってもよい。又は、図７に示す第２方向Ａ３は、図２に示す第２変位の方向Ｂ２と同じであってもよいし、該第２変位の方向Ｂ２と異なっていてもよい。具体的には、該第２方向Ａ３、該第１変位の方向Ａ２、該第２変位の方向Ｂ２、及びレンズの光軸が存在する方向（例えば、図２に示される第１方向Ｃ）は、例示的なものであり、本開示の実施例を何ら限定するものではない。実際の実現において、具体的には実際の使用ニーズに応じて決められ、本開示の実施例では限定されない。
【００７０】
例えば、図７に示すレンズモジュールの第２方向上の半径をＤとし、レンズ００の半径を図７に示すようにｄ２とし、支持構造１０の該第２方向上の厚さを図７に示すようにｄ１とした場合、Ｄ＝ｄ１＋ｄ２である。
【００７１】
なお、従来技術において、レンズモジュールの第２方向上の半径は、レンズの半径と、ボイスコイルモータの第２方向上の厚さとの和である。該ボイスコイルモータの第２方向上の厚さは、レンズ支持体及びコイルの厚さ、磁石固定ホルダーの厚さ、磁石の厚さ、レンズ支持体及び磁石固定ホルダーとのギャップ、防振用直進ギャップ、ボイスコイルモータの厚さを含む。一方、本開示の実施例において、レンズモジュールの第２方向上の半径は、レンズの半径と、該支持構造の該第２方向上の厚さとの和である。支持構造の第２方向上の厚さがボイスコイルモータの第２方向上の厚さよりも遥かに小さいため、従来技術に比べ、本開示の実施例によるレンズモジュールは、レンズモジュールの第２方向上の半径を小さくすることができる。
【００７２】
例えば、本開示の実施例において、上記支持構造の第２方向上の厚さは、通常、０．２５ｍｍであるが、従来技術で提供されるボイスコイルモータの磁石の厚さは、通常、０．３ｍｍ〜０．３５ｍｍである。本開示の実施例における支持構造の第２方向上の厚さは、従来技術におけるボイスコイルモータの第２方向上の厚さよりも遥かに小さいことは明らかである。すなわち、本開示の実施例によるレンズモジュールは、従来技術に比べて、レンズモジュールの第２方向上の半径を小さくすることができる。
【００７３】
本開示の実施例によるレンズモジュールは、レンズモジュールの第２方向上の半径がレンズの半径と支持構造の第２方向上の厚さとの和であり、該支持構造の第２方向（即ち、レンズの光軸がある方向に垂直な方向）上の厚さが従来技術におけるボイスコイルモータの第２方向上の厚さよりも遥かに小さい。従って、本開示の実施例におけるレンズモジュールは、レンズモジュールの第２方向上の半径がレンズの半径とボイスコイルモータの第２方向上の厚さとの和である従来技術に比べて、レンズモジュールの第２方向上の半径を小さくすることができ、レンズモジュールの第２方向上の寸法を小さくすることができる。
【００７４】
本開示の実施例は、電子機器を提供する。該電子機器は、レンズモジュールを含む。該レンズモジュールに関する記載は、具体的には上記実施例におけるレンズモジュールに関する記載を参照し、ここでは繰り返して記載しない。
【００７５】
選択可能に、本開示の実施例において、電子機器は、移動端末である。例えば、携帯電話、カメラ、ビデオカメラ、タブレットパソコン、ノートパソコン、パームトップパソコン、車載端末、ウェアラブル機器、ＵＭＰＣ（ｕｌｔｒａ−ｍｏｂｉｌｅ  ｐｅｒｓｏｎａｌ  ｃｏｍｐｕｔｅｒ）、ネットブック又はＰＤＡ（ｐｅｒｓｏｎａｌ  ｄｉｇｉｔａｌ  ａｓｓｉｓｔａｎｔ）などである。具体的には、実際の使用ニーズに応じて決められるが、本開示の実施例では限定しない。
【００７６】
本開示の実施例は、レンズモジュールを含む電子機器を提供し、該レンズモジュールは、レンズ及び該レンズを載置するためのレンズマウントを含む。該レンズマウント内の感光構造が外力の作用下に第１変位で移動すると、該レンズマウント内の駆動構造により、該感光構造を該第１変位の方向とは反対の方向に運動させるので、本開示の実施例の電子機器は、光学防振を実現することができる。一方、本発明の実施例は、駆動構造によって感光構造を運動させて光学防振を実現するため、ボイスコイルモータによってレンズを運動させて光学防振を実現する従来技術に比べて、レンズに影響を与えることがない。このように、本開示の実施例によれば、光学防振を実現する上でレンズの信頼性を確保することができる。
【００７７】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【００７８】
以上、本発明の実施例を図面に基づいて記載したが、本発明は、上記の具体的な実施形態に限定されるものではない。上記の具体的な実施形態は、例示的なものであり、限定的なものではない。本発明のヒントを受け、当業者が本発明の趣旨及び特許請求の範囲から逸脱することなくなしえる多くの形態は、すべて本発明の保護範囲に含まれる。
【符号の説明】
【００７９】
００：レンズ、０１：レンズマウント、０２：感光構造、０３：駆動構造、０４：第１配線基板、０５：接続部材、０６：変形部材、０７：第２配線基板、０８：感光部材、０９：光学フィルタ、１０：支持構造、１１：レンズモジュール。
【図１】
2021516798.tif 000003
【図２】
2021516798.tif 000004
【図３】
2021516798.tif 000005
【図４】
2021516798.tif 000006
【図５】
2021516798.tif 000007
【図６】
2021516798.tif 000008
【図７】
2021516798.tif 000009
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
感光構造と、レンズから遠い側である前記感光構造の第１側に設けられて前記感光構造に接続された駆動構造とを含み、レンズを載置するためのレンズマウントにおいて、
前記駆動構造は、前記感光構造が第１変位で移動する場合に、前記感光構造が第２変位で移動するように駆動することに用いられ、
前記第１変位の方向は、前記レンズの光軸がある方向に直交し、
前記第２変位の方向は、前記第１変位の方向とは同一平面に位置し、且つ前記第２変位の方向は、前記第１変位の方向とは逆である、レンズマウント。
【請求項２】
前記駆動機構は、更に、前記感光構造が第１方向に沿って運動するように駆動することに用いられ、
前記第１方向は、前記レンズの光軸がある方向とは同じであり、
前記第１変位の大きさは、前記第２変位の大きさとは同じである、請求項１に記載のレンズマウント。
【請求項３】
前記駆動構造は、第１配線基板と、Ｍ個の接続部材と、Ｎ個の変形部材とを含み、
各々の接続部材の第１端部は、前記第１配線基板に接続され、前記各々の接続部材の第２端部は、前記感光構造に接続され、
前記Ｎ個の変形部材は、すべて前記第１配線基板と前記感光構造との間に位置し、且つ各々の変形部材の第１端部は、すべて前記第１配線基板に接続され、前記各々の変形部材の第２端部は、すべて前記感光構造に接続される、請求項１又は２に記載のレンズマウント。
【請求項４】
前記感光構造が前記第１変位で移動する場合に、前記Ｎ個の変形部材のうちの少なくとも１つの変形部材は、加熱後に前記感光構造を前記第２変位で移動させ、
Ｍは１より大きい整数であり、Ｎは正の整数である、請求項３に記載のレンズマウント。
【請求項５】
前記第１配線基板と前記感光構造との間のギャップは、所定値より大きい、請求項３又は４に記載のレンズマウント。
【請求項６】
前記第１配線基板と前記感光構造との間のギャップは、所定値と等しい、請求項３又は４に記載のレンズマウント。
【請求項７】
前記変形部材は、記憶合金部材である、請求項３又は４に記載のレンズマウント。
【請求項８】
前記感光構造は、第２配線基板及び前記第２配線基板に設けられた感光部材を含み、
前記感光構造の第１側は、前記第２配線基板における前記感光部材とは逆の側である、請求項３又は４に記載のレンズマウント。
【請求項９】
前記各々の接続部材の第２端部及び前記各々の変形部材の第２端部は、すべて前記第２配線基板に接続される、請求項８に記載のレンズマウント。
【請求項１０】
前記感光構造の第２側に設けられた光学フィルタを更に含み、
前記感光構造の第２側は、前記第２配線基板における前記感光部材とは同一の側である、請求項８又は９に記載のレンズマウント。
【請求項１１】
前記レンズを支持し、前記光学フィルタを固定するための支持構造を更に含む、請求項１０に記載のレンズマウント。
【請求項１２】
前記レンズの光軸がある方向に直交する方向における上記支持構造の厚さは、０．２５ｍｍである、請求項１１に記載のレンズマウント。
【請求項１３】
レンズと、前記レンズを載置するための請求項１〜１２のいずれか一項に記載のレンズマウントとを含む、レンズモジュール。
【請求項１４】
前記レンズマウントは、支持構造を含み、
前記レンズモジュールの第２方向上の半径は、前記レンズの半径と前記支持構造の前記第２方向上の厚さとの和であり、
前記第２方向は、前記レンズの光軸がある方向に直交する、請求項１３に記載のレンズモジュール。
【請求項１５】
請求項１３又は１４に記載のレンズモジュールを含む、電子機器。
【国際調査報告】
2021516798.tif 000010
2021516798.tif 000011
2021516798.tif 000012
2021516798.tif 000013
2021516798.tif 000014
2021516798.tif 000015